(57)【要約】【課題】吊下げ袋の梱包作業性の改善、印刷面の保護、仕切りの追加、開封したことが判る工夫を部材の追加をせずに実現した吊下げ袋を提供すること。【解決手段】補強板を袋側まで伸ばす。フタに凸形状をつける。印刷の上に接着部を設ける。【選択図】図１
2017145004.tif 000002
【特許請求の範囲】
【請求項１】
オモテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
フタ部は収納部の口を覆うように配置されて、フタ部の内側の面には接着層があり、
被梱包物を収納部の口から挿入し、収納部の口の近傍をフタ部で接着することで封がなされる吊下げ袋であって、
前記補強シートは、ヘッダー部の下端より下方向に延伸して、
ヘッダー部下端の範囲は、
袋の底からのヘッダー部下端の寸法をＨとすると、
被梱包物を収納部の底まで入れた時に、収納部の底から被梱包物上端の距離Ｌに
被梱包物の最大高さＤを足し、
Ｈ≧（Ｌ＋Ｄ）で、かつ、
接着層より下であることを特徴とする吊下げ袋。
【請求項２】
オモテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
印刷面が収納部のフィルムの内側である吊下げ袋であって、
前記補強シートは、ヘッダー部の下端より下方向に延伸して、
印刷面を覆い、被梱包物と印刷面を補強シートにより隔絶したことを特徴とする吊下げ袋。
【請求項３】
オモテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
前記補強シートは、ヘッダー部の下端より下方向に延伸して、
補強シートの延伸部により収納部に仕切りを設けた吊下げ袋であって、
複数の被梱包物を仕切りで分けて収納することを特徴とする吊下げ袋。
【請求項４】
オモテ面のフィルムとウラ面のフィルムを貼り合わせ、
吊下げ用の穴を開けたヘッダー部を上部に設け、
ヘッダー部の下端を封止することで上部と下部を区分けし、
下部に被梱包物を入れる収納部を設け、
フタ部はヘッダー部の下端から収納部の口を覆うように配置されて、フタ部の内側の面には接着層があり、
被梱包物を収納部の口から挿入し、収納部の口の近傍をフタ部で接着することで封がなされる吊下げ袋であって、
フタ部の下端には突起形状を配置し、突起形状はフタ部と一体、または別体であり、
フタ部をめくったときに、前記突起部が前記穴に挿入されることを特徴とする吊下げ袋。
【請求項５】
オモテ面のフィルムとウラ面のフィルムを貼り合わせ、
吊下げ用の穴を開けたヘッダー部を上部に設け、
ヘッダー部の下端を封止することで上部と下部を区分けし、
下部に被梱包物を入れる収納部を設け、
フタ部はヘッダー部の下端から収納部の口を覆うように配置されて、
フタ部と収納部とは接着材で封をすることが可能な吊下げ袋であって、
フタ部と収納部を接着したときに、印刷面の上に接着層が配置されることを特徴とする吊下げ袋。
【発明の詳細な説明】
【技術分野】
【０００１】
本発明は、包装用の袋に関し、特にヘッダー部を有する吊下げ袋に関する。
【背景技術】
【０００２】
従来、ヘッダー付き吊下げ袋は、オモテ面のフィルムとウラ面のフィルムを貼り合わせ、上部には吊下げ用の穴を開けたヘッダー部を設け、ヘッダー部の下端を熱溶着することで上部と下部を区分けし、下部に被梱包物を入れる収納部を設けている。
【０００３】
ヘッダー部には吊下げ強度を向上させるために、オモテ面のフィルムと裏面のフィルムの間に補強シートを挟んでいる。フタ部は収納部の口を覆うように配置されていおり、フタ部の内側の面には接着材が塗布されている。被梱包物を収納部の口から挿入し、収納部の口の近傍をフタ部で接着することで封がなされる。
【０００４】
特許文献１には、ヘッダー部の補強シートを粘着剤で貼りつけることで補強シートを自由な材質から選択できるヘッダー付き吊下げ袋が開示されている。
【０００５】
特許文献２には、補強シートの材質に紙を使用することで印刷したヘッダーを小ロットで迅速に提供できるヘッダー付き吊下げ袋が開示されている。
【先行技術文献】
【特許文献】
【０００６】
【特許文献１】特開２００３−１５５０４２号公報
【特許文献２】特開２００２−２５５１９５号公報
【発明の概要】
【発明が解決しようとする課題】
【０００７】
しかしながら、上述の特許文献に開示された従来技術では、
以下の５つの問題が発生してしまう。
１）袋に被梱包物を入れた際に、被梱包物の厚さと幅といった被梱包物の形状の要因で、
袋の口部分にヨレが発生してしまい、フタ部の接着をきれいに仕上げようとすると、時間をかけて作業をする必要があった。
２）印刷面が袋の内側の場合に、被梱包物が尖っていると、輸送時の振動で被梱包物の尖っている部分と印刷面が擦れて、印刷が削られるという問題があった。
３）被梱包物を袋の中で仕切りたい場合には、被梱包物を別の袋に入れてから吊下げ袋に入れるか、または、あらかじめ仕切り用のシートを吊る下げ袋に入れておく必要があった。
４）袋の口とフタ部の根元が近いために、袋の口から被梱包物を入れるときにフタ部が邪魔をして、被梱包物が入れづらいという問題があった。
５）接着部をいちど剥がしても、もう一度貼り直せるため、開封したことが判別しにくいという問題があった。
【０００８】
そこで、本発明の目的は、以下の５つである。
１）袋の口部のヨレを軽減することを可能にした吊下げ袋を提供することにある。
２）印刷面と被梱包物との擦れを防ぐ吊下げ袋を提供することにある。
３）吊下げ袋の中で仕切りを設ける吊下げ袋を提供することにある。
４）被梱包物を入れやすくした吊下げ袋を提供することにある。
５）袋を一度開封したことがわかる吊下げ袋を提供することにある。
【課題を解決するための手段】
【０００９】
上記の目的を達成するために、本発明に係る吊下げ袋は、
モテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
フタ部は収納部の口を覆うように配置されて、フタ部の内側の面には接着層があり、
被梱包物を収納部の口から挿入し、収納部の口の近傍をフタ部で接着することで封がなされる吊下げ袋であって、
前記補強シートは、ヘッダー部の下端より下方向に延伸して、
ヘッダー部下端の範囲は、
袋の底からのヘッダー部下端の寸法をＨとすると、
被梱包物を収納部の底まで入れた時に、収納部の底から被梱包物上端の距離Ｌに
被梱包物の最大高さＤを足し、
Ｈ≧（Ｌ＋Ｄ）で、かつ、
接着層より下であることを特徴とする。
【００１０】
また、本発明に係る吊下げ袋は、
オモテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
印刷面が収納部のフィルムの内側である吊下げ袋であって、
前記補強シートは、ヘッダー部の下端より下方向に延伸して、
印刷面を覆い、被梱包物と印刷面を補強シートにより隔絶したことを特徴とする。
【００１１】
また、本発明に係る吊下げ袋は、
オモテ面のフィルムとウラ面のフィルムを貼り合わせ、
吊下げ用の穴を開けたヘッダー部を上部に設け、
ヘッダー部には、オモテ面のフィルムと裏面のフィルムの間に補強シートを挟み、
ヘッダー部の下端を封止することで上部と下部を区分けし、
下部に被梱包物を入れる収納部を設け、
前記補強シートは、ヘッダー部の下端より下方向に延伸して、
補強シートの延伸部により収納部に仕切りを設けた吊下げ袋であって、
複数の被梱包物を仕切りで分けて収納することを特徴とする。
【００１２】
また、本発明に係る吊下げ袋は、
オモテ面のフィルムとウラ面のフィルムを貼り合わせ、
吊下げ用の穴を開けたヘッダー部を上部に設け、
ヘッダー部の下端を封止することで上部と下部を区分けし、
下部に被梱包物を入れる収納部を設け、
フタ部はヘッダー部の下端から収納部の口を覆うように配置されて、フタ部の内側の面には接着層があり、
被梱包物を収納部の口から挿入し、収納部の口の近傍をフタ部で接着することで封がなされる吊下げ袋であって、
フタ部の下端には突起形状を配置し、突起形状はフタ部と一体、または別体であり、
フタ部をめくったときに、前記突起部が前記穴に挿入されることを特徴とする。
【００１３】
また、本発明に係る吊下げ袋は、
オモテ面のフィルムとウラ面のフィルムを貼り合わせ、
吊下げ用の穴を開けたヘッダー部を上部に設け、
ヘッダー部の下端を封止することで上部と下部を区分けし、
下部に被梱包物を入れる収納部を設け、
フタ部はヘッダー部の下端から収納部の口を覆うように配置されて、
フタ部と収納部とは接着材で封をすることが可能な吊下げ袋であって、
フタ部と収納部を接着したときに、印刷面の上に接着層が配置されることを特徴とする。
【発明の効果】
【００１４】
本発明によれば、部品点数を増やすことなく、以下５つの吊下げ袋を提供することができる。
１）袋の口部のヨレを軽減することを可能にした吊下げ袋。
２）印刷面と被梱包物との擦れを防ぐ吊下げ袋。
３）吊下げ袋の中で仕切りを設ける吊下げ袋。
４）被梱包物を入れやすくした吊下げ袋。
５）袋を一度開封したことがわかる吊下げ袋。
【図面の簡単な説明】
【００１５】
【図１】本発明の第１の実施例を示す。（ａ）は正面図、（ｂ）は断面図、（ｃ）は背面図、（ｄ）は実施例の効果を説明する断面図である。
【図２】本発明の第２の実施例を示す。（ａ）は正面図、（ｂ）は断面図である。
【図３】本発明の第３の実施例を示す。（ａ）は正面図、（ｂ）、（ｃ）は断面図である。
【図４】本発明の第４の実施例を示す。（ａ），（ｂ）は斜視図、（ｃ），（ｄ），（ｅ），（ｆ），（ｇ），（ｈ）は部分拡大図である。
【図５】本発明の第５の実施例を示す。（ａ），（ｂ），（ｃ）は背面図である。
【発明を実施するための形態】
【００１６】
以下に、本発明の好ましい実施の形態を、添付の図面に基づいて詳細に説明する。
【実施例１】
【００１７】
図１を参照して、本発明の第１の実施例による、吊下げ袋について説明する。
【００１８】
図１（ａ）、（ｂ）に示すように、吊下げ袋１は、一枚の樹脂フィルムを折り返して、オモテ面のフィルム２とウラ面のフィルム３を重ねて、左右端を熱溶着でシールしている。
【００１９】
ヒートシール部４によって吊下げ袋は上下に区分けされ、上部のヘッダー部５と下部の収納部６に分かれる。
【００２０】
ヘッダー部５は、オモテ面のフィルム２とウラ面のフィルム３の間に補強シート９を挟んでおり、吊下げ用の穴１１が空いている。
【００２１】
収納部６のウラ面のフィルム３の端は開口しており、そこが袋の口７である。
【００２２】
ヒートシール部４の下端からフタ部８が下方向に伸びており、フタ部８がフィルム３と接する面には接着材１０が塗布されている。接着材は塗布タイプでもよく、両面テープでもよい。
【００２３】
フタ８を接着するまでは、接着材１０の表面には剥離シート（図示せず）が配置されている。フタ８をフィルム３に接着するときに剥離シートを除去する。
【００２４】
収納部６の口７から被梱包物１２を入れると、被梱包物１２の厚さの影響で、ウラ面のフィルム３の表面には開口部に向けてシワ１３がよっている。シワ１３の影響で袋の口７は波形状１４に変形してしまう。
【００２５】
ここで、補強シート９はヒートシール部４より下へ延伸している。補強シート９は弾性材であるので、補強シート９が収納部６に伸びていても、被梱包物１２を袋の口７から収納部６に入れることは可能である。
【００２６】
補強シートの下端１５の位置は、袋の底から補強シートの下端１５までの距離をＨとすると、被梱包物１２を収納部の底まで入れた時に、収納部の底から被梱包物１２の上端の距離をＬとし、被梱包物の最大高さＤとすると、
Ｈ≧Ｌ＋Ｄ  かつ、接着材１０より下に位置する範囲にある。
【００２７】
図１（ｄ）に示すように、補強シートの下端１５で矢印Ｘ方向に袋を曲げると、フィルム３の開口部のシワは軽減し、袋の口７の波形状１４も軽減する。この理由は、補強シートの下端１５でフィルム３を折り曲げることで、被梱包物１２の厚みによって生じたフィルムの変形の影響を折り曲げたところでキャンセルすることができるからである。
【００２８】
そして、図１（ｄ）のように袋を折り曲げた状態で、フタ部の接着材の部分をフィルム３に貼りつけることで、シワの少ない貼り付けが可能となる。
【００２９】
以上述べたように、本発明によれば、部品点数を増やすことなく、また、時間をかけてシワを伸ばしながら接着する必要が無く、短時間で品位の良い接着が可能となる。
【実施例２】
【００３０】
図２を参照して、本発明の第２の実施例による、吊下げ袋について説明する。
【００３１】
図２（ａ）、（ｂ）に示すように、吊下げ袋２０１は、一枚の樹脂フィルムを折り返して、オモテ面のフィルム２０２とウラ面のフィルム２０３を重ねて、左右端を熱溶着でシールしている。
【００３２】
ヒートシール部２０４によって吊下げ袋は上下に区分けされ、上部のヘッダー部２０５と下部の収納部２０６に分かれる。
【００３３】
ヘッダー部２０５は、オモテ面のフィルム２０２とウラ面のフィルム２０３の間に補強シート２０９を挟んでおり、吊下げ用の穴２１１が空いている。
【００３４】
収納部２０６のオモテ面のフィルム２０２の袋の内側には印刷部２０７、２０８がある。
【００３５】
被梱包物２１２と印刷部２０７，２０８が直接接触することを防ぐために、補強シート２０９はヒートシール部２０４より下に伸びて、被梱包物２１２と印刷部２０７，２０８を隔離している。補強シート２０９は弾性材であるため、被梱包物を袋に入れる際は補強シート２０９は変形して、被梱包物２１２を袋の口から収納部６に入れることができる。
【００３６】
本実施例では、被梱包物２１２は歯車形状をしている例であるが、その他の形状でもよい。
【００３７】
以上述べたように、本発明によれば、部品点数を増やすことなく、袋の内面の印刷と被梱包物との接触を防止することができる。
【実施例３】
【００３８】
図３を参照して、本発明の第３の実施例による、吊下げ袋について説明する。
【００３９】
図３（ａ）、（ｂ）、（Ｃ）に示すように、吊下げ袋３０１は、一枚の樹脂フィルムを折り返して、オモテ面のフィルム３０２とウラ面のフィルム３０３を重ねて、左右端を熱溶着でシールしている。
【００４０】
ヒートシール部３０４によって吊下げ袋は上下に区分けされ、上部のヘッダー部３０５と下部の収納部３０６に分かれる。
【００４１】
ヘッダー部３０５は、オモテ面のフィルム３０２とウラ面のフィルム３０３の間に補強シート３０９を挟んでおり、吊下げ用の穴３１１が空いている。
【００４２】
収納部３０６のウラ面のフィルム３０３の端は開口しており、そこが袋の口３０７である。
【００４３】
オモテ面のフィルム３０２の下端にはフタ部３０８が設けられている。フタ部３０８のフィルム３０３と接する面には接着材３１０が塗布されている。接着材は塗布タイプでもよく、両面テープでもよい。
【００４４】
フタ３０８を接着するまでは、接着材３１０の表面には剥離シート（図示せず）が配置されている。フタ３０８をフィルム３０３に接着するときに剥離シートを除去する。
【００４５】
収納部３０６の口３０７は、補強シートの下端３１５によって、オモテ側の口３０７ａとウラ側の口３０７ｂにわかれている。
【００４６】
補強シート３０９は弾性材であるので、被梱包物を入れるときに補強シート３０９は弾性変形する。よって袋の口３０７の近傍まで補強シートの下端１５が来ていても、被梱包物を入れることができる。
【００４７】
被梱包物３１３はオモテ側の口３０７ａから挿入されて収納部の表側に収納される。
【００４８】
被梱包物３１４はウラ側の口３０７ｂから挿入されて収納部の裏側に収納される。
【００４９】
袋のフタ部３０８を閉じて梱包完了である。
【００５０】
以上述べたように、本発明によれば、部品点数を増やすことなく、袋の内側に仕切りを設けることができ、複数の被梱包物を分離して梱包可能な吊下げ袋を提供できる。
【実施例４】
【００５１】
図４を参照して、本発明の第４の実施例による、吊下げ袋について説明する。
【００５２】
図４（ａ）、（ｂ）に示すように、吊下げ袋１は、一枚の樹脂フィルムを折り返して、オモテ面のフィルム４０２とウラ面のフィルム４０３を重ねて、左右端を熱溶着でシールしている。
【００５３】
ヒートシール部４０４によって吊下げ袋は上下に区分けされ、上部のヘッダー部４０５と下部の収納部４０６に分かれる。
【００５４】
ヘッダー部４０５は、吊下げ用の穴４１１が空いている。
【００５５】
収納部４０６のウラ面のフィルム４０３の端は開口しており、そこが袋の口４０７である。
【００５６】
ヒートシール部４０４の下端からフタ部４０８が下方向に伸びており、袋の口４０７を覆い隠している。
【００５７】
フタ部４０８の下端には突起部４０９が備わっている。突起部４０９はフタ部４０８と一体でもよいし、突起部４０９を別体とし接着などの方法でフタ部４０８に取り付けてもよい。
【００５８】
被梱包物（図示せず）を袋の口４０７から入れるときは、フタ部４０８を逃がすために、突起部４０９をヘッダー部の穴４１１に挿入する。こうすることで、フタ部４０８はめくれ上がり、袋の口４０７は露出して、梱包作業がしやすくなる。
【００５９】
突起部４０９の形状としては、図４（ｃ），（ｄ），（ｅ）のように種々のバリエーションが考えられる。
【００６０】
（ｃ）は四角形、（ｄ）は半円形、（ｅ）は半円形に引掛けのくびれを設けた例である。ただし、形状にこだわらず突起形状であればよい。
【００６１】
穴部４１１の形状としては、図４（ｆ），（ｇ），（ｈ）のように、種々のバリエーションが考えられる。
（ｆ）は横長穴の上に半円の穴を付けた形状の例
（ｇ）は横長穴の上に一段段差を付けてから半円の穴を付けた形状の例
（ｈ）はスリット穴の例である。
ただし、形状にこだわらず穴形状であればよい。
【００６２】
以上述べたように、本発明によれば、被梱包物を袋詰めするときの作業性が向上する吊下げ袋を提供できる。
【実施例５】
【００６３】
図５を参照して、本発明の第５の実施例による、吊下げ袋について説明する。
【００６４】
図５（ａ）はウラ面から吊下げ袋を見た図である。
【００６５】
吊下げ袋５０１は、一枚の樹脂フィルムを折り返して、オモテ面のフィルム５０２とウラ面のフィルム５０３を重ねて、左右端を熱溶着でシールしている。
【００６６】
ヒートシール部５０４によって吊下げ袋は上下に区分けされ、上部のヘッダー部５０５と下部の収納部５０６に分かれる。
【００６７】
ヘッダー部５０５は、吊下げ用の穴５１１が空いている。
【００６８】
収納部５０６のウラ面のフィルム５０３の端は開口しており、そこが袋の口５０７である。
【００６９】
ヒートシール部５０４の下端からフタ部５０８が伸びており、フタ部５０８がフィルム５０３と接する面には接着材５１０が塗布されている。接着材は塗布タイプでもよく、両面テープでもよい。
【００７０】
フタ部５０８を接着するまでは、接着材５１０の表面には剥離シート（図示せず）が配置されている。フタ部５０８をフィルム５０３に接着するときに剥離シートを除去する。
【００７１】
フタ部５０８をフィルム５０３に接着する部分には、印刷部５０９がフィルム表面に印刷されている。
【００７２】
図５（ｂ）に示すように、フタ部５０８を接着すると、接着材５１０は印刷部５０９に重なるように接着される。
【００７３】
次に、図５（Ｃ）に示すようにフタ部５０８を剥がすと、印刷部の一部５０９ａが接着材５１０の接着力によって剥がされて、接着材５１０の上に残る。
【００７４】
このように、フタ５０８を接着したのち、一回でもフタを開ければ、印刷部が破損するため、開封済であることが容易に判明する。
【００７５】
本実施例では、フタ側に接着材５１０を設け、フィルム５０３側に印刷部５０９を設けた例を示したが、フタ側に印刷部を設け、フィルム側に接着材を設けてもよい。
【００７６】
以上、本発明の好ましい実施形態について説明したが、本発明はこれらの実施形態に限定されず、その要旨の範囲内で種々の変形及び変更が可能である。
【符号の説明】
【００７７】
１，２０１，３０１，４０１，５０１  吊下げ袋、
２，２０２，３０２，４０２，５０２  オモテ側フィルム、
３，２０３，３０３，４０３，５０３  ウラ側フィルム、
４，２０４，３０４，４０４，５０４  ヒートシール部、
５，２０５，３０５，４０５，５０５  ヘッダー部、
６，２０６，３０６，４０６，５０６  収納部、
７，２０７，３０７，４０７，５０７  袋の口、
８，３０８，４０８，５０８  フタ部、９，２０９，３０９  補強シート、
１０，３１０，５１０  接着材、１１，２１１，３１１，４１１，５１１  穴、
１２，２１２，３１３，３１４  被梱包物、１３  シワ、１４  波形状、
１５  補強シートの下端、２０７，２０８，５０９  印刷部
【図１】
2017145004.tif 000003
【図２】
2017145004.tif 000004
【図３】
2017145004.tif 000005
【図４】
2017145004.tif 000006
【図５】
2017145004.tif 000007